(57)【特許請求の範囲】
【請求項１】
少なくとも遮断器，母線及び外線ケーブルを含む収納機器の回路別に内部空間が内部構成部材にて制御コンパートメント，遮断器コンパートメント，母線コンパートメント及びケーブルコンパートメントを含む複数のコンパートメントに区画されており、
分割位置を前記遮断器コンパートメントと前記母線コンパートメント及び前記ケーブルコンパートメントとの境界付近として前後に２分割された枠体と、
該２分割された枠体に実質的に垂直である床面と、
遮断器を奥行き方向に移動可能に収納する遮断器収納用のクレードルと、
前記２分割された枠体の中の前側の枠体の内部に、前記制御コンパートメントと前記遮断器コンパートメントとの境界として、前記床面に対して実質的に垂直に設けられており、前記遮断器収納用のクレードルまたは前記遮断器コンパートメントを構成する内部構成部材の取付け基準面となり、前記遮断器収納用のクレードルが前記前側の枠体の後方側から取付けて固定されている取付け基準部材と
を備えたことを特徴とする閉鎖配電盤の閉鎖箱。
【請求項２】
打ち出しによるリブを前記床面に設けてあることを特徴とする請求項１記載の閉鎖配電盤の閉鎖箱。
【請求項３】
収納機器及び内部構成部材を固定するための穴を前記リブに形成してあることを特徴とする請求項２記載の閉鎖配電盤の閉鎖箱。
【請求項４】
床面に外線ケーブルを通すための開口部が設けられており、前記開口部の周囲に打ち出し加工を施してあることを特徴とする請求項１〜３の何れかに記載の閉鎖配電盤の閉鎖箱。
【発明の詳細な説明】
【０００１】
【発明の属する技術分野】
本発明は、複数の電気機器を収納する閉鎖配電盤の閉鎖箱に関する。
【０００２】
【従来の技術】
従来の閉鎖配電盤の閉鎖箱の構造及びその閉鎖箱を用いた閉鎖配電盤の組立方法について、例えば引出形遮断器用クレードルを上下２段に収納した閉鎖配電盤を用いて説明する。図５は、従来の閉鎖配電盤の側断面図であり、図６はその従来の閉鎖配電盤の閉鎖箱の床部と複数の枠体とを示す斜視図である。なお、以下の説明においては、図５の図面における左右方向，上下方向及び垂直方向を夫々、閉鎖配電盤の奥行き方向，高さ方向及び幅方向とする。
【０００３】
図５において、閉鎖配電盤の閉鎖箱１１の外被は、正面扉１２，天板１３，裏面板１４及び床部１５で構成される。この閉鎖箱１１の外被は、何れの部分も金属板で構成されており、閉鎖箱１１の内部と外部とを遮断している。
【０００４】
図５に示すＡ，Ｂ及びＣは、閉鎖配電盤の奥行き方向に分割された３個の枠体４０，５０及び６０の区分を夫々示している。これらの３個の枠体４０，５０及び６０は、Ｌ字形，コ字形等の複数の構成部材を組み合わせて夫々構成され、ボルト，リベット等により床部１５に対して垂直に夫々固定されている。また、正面扉１２，天板１３及び裏面板１４は、ボルト等により枠体４０，５０及び６０に取付けられている。
【０００５】
更に、額縁形の機器取付け基準部材５１が、床部１５に対して垂直な方向となるように、枠体５０の４個のＬ字形のフレームに固定されている。取付け基準部材５１には、複数の取付け穴（図示せず）が設けられていて閉鎖配電盤内の収納機器及び内部構成部材をボルト等により固定できるようになっており、この取付け基準部材５１は、これらの収納機器及び内部構成部材を閉鎖箱１１に取付ける際の取付け基準面として機能する。
【０００６】
次に、閉鎖箱１１の内部構成について説明する。閉鎖箱１１の内部は、仕切り板１７，１８及び１９により、後述する収納機器の回路別に、制御コンパートメント２０，上下２段の遮断器コンパートメント２１，母線コンパートメント２２及びケーブルコンパートメント２３に区画されている。なお、上下２段の遮断器コンパートメント２１は、上下段のクレードル２夫々単体で構成されている。
【０００７】
各クレードル２には、引出形遮断器１が奥行き方向に移動可能に収納されており、各クレードル２は固定フレーム１６により閉鎖箱１１（仕切り板１７）に固定されている。引出形遮断器１がクレードル２内の運転位置に配置された場合には、引出形遮断器１の可動接触子（図示せず）が、ブッシングにより絶縁支持されたクレードル２の主回路端子２ａに嵌合する。
【０００８】
また、主母線３が、閉鎖配電盤の幅方向に盤の空間を貫いて設けられている。一方の主回路端子２ａに連なるクレードル端子５と主母線３とは、電源側分岐導体４にて接続されている。他方の主回路端子２ａに連なるクレードル端子５には、計器用変流器８を貫通する負荷側導体６が接続されており、負荷側導体６の端部には外線ケーブル１０の接続端子９が接続されている。負荷側導体６は、支持用碍子７により絶縁支持されている。
【０００９】
次に、従来の閉鎖箱１１の床部１５について図７を参照して説明する。図７（ａ）は床部１５の平面図、図７（ｂ）は床部１５の断面図である。床部１５は、床強度を上げるために、床の四方をコの字形の断面に加工し、内部に補強材２５を取り付けた構成となっている。また、外線ケーブル１０を貫通させるための開口部２６が設けられている。外線ケーブル１０を設置した後に開口部２６に塞ぎ板２７を取り付けるためのねじ，床面に器具を固定するためのボルト等の先端が床面外部に飛び出さないように床面に取り付けられるねじ座等を不要とするために、床部１５は床全体をかさあげした形状となっている。
【００１０】
次に、上記閉鎖箱１１を用いた閉鎖配電盤の組立方法について説明する。なお、上述したように、閉鎖箱１１では、収納機器及び内部構成部材が取り付けられる枠体が、３個の枠体４０，５０及び６０に分割されているので、各枠体４０，５０及び６０への収納機器及び内部構成部材の取付け作業を並行して行える。
【００１１】
図８（ａ），（ｂ）は、取付け基準部材５１にクレードル２を取り付けた状態を示す構造図である。図８（ａ），（ｂ）に示すように、閉鎖配電盤の据え付け面と平行になるように取付け基準部材５１を台車等に固定し、クレードル２をクレーン等により吊り下げて取付け基準部材５１の上面に乗せ、固定フレーム１６と取付け基準部材５１とにボルト等によりクレードル２を固定する。
【００１２】
そして、仕切り板１７を取り付けた後、取付け基準部材５１の下側に収納すべき収納機器及び内部構成部材を組み込ませるために枠体５０を１８０°回転させて、収納機器及び内部構成部材の組み込みを行う。このように、クレードル２の取付け作業を完了した後にのみ、主母線３，計器用変流器８等の収納機器及び内部構成部材を母線コンパートメント２２，ケーブルコンパートメント２３内に組み込むことができる。
【００１３】
【発明が解決しようとする課題】
上述したような従来の閉鎖配電盤の組立方法では、クレードルを収納した後に枠体を１８０°回転させる必要があり、作業の安全性が悪く、作業効率も悪いとう問題がある。また、床部をかさ上げしているため、構造が複雑であり、更に、コロ引き時にコロが床部の内側に外れて危険であるという問題もある。
【００１４】
本発明は斯かる事情に鑑みてなされたものであり、閉鎖箱の枠体の分割位置及び取付け基準部材の設置位置を改良することにより、組立作業の安全性及び効率を向上することができる閉鎖配電盤の閉鎖箱を提供することを目的とする。
【００１５】
本発明の他の目的は、閉鎖箱の床部の構造を改良することにより、強度の向上及び構造の簡素化を図ることができる閉鎖配電盤の閉鎖箱を提供することにある。
【００１６】
【課題を解決するための手段】
第１発明に係る閉鎖配電盤の閉鎖箱は、少なくとも遮断器，母線及び外線ケーブルを含む収納機器の回路別に内部空間が内部構成部材にて制御コンパートメント，遮断器コンパートメント，母線コンパートメント及びケーブルコンパートメントを含む複数のコンパートメントに区画されており、分割位置を前記遮断器コンパートメントと前記母線コンパートメント及び前記ケーブルコンパートメントとの境界付近として前後に２分割された枠体と、該２分割された枠体に実質的に垂直である床面と、遮断器を奥行き方向に移動可能に収納する遮断器収納用のクレードルと、前記２分割された枠体の中の前側の枠体の内部に、前記制御コンパートメントと前記遮断器コンパートメントとの境界として、前記床面に対して実質的に垂直に設けられており、前記遮断器収納用のクレードルまたは前記遮断器コンパートメントを構成する内部構成部材の取付け基準面となり、前記遮断器収納用のクレードルが前記前側の枠体の後方側から取付けて固定されている取付け基準部材とを備えたことを特徴とする。
【００１９】
第１発明にあっては、閉鎖配電盤の閉鎖箱の床面に対して垂直に設ける取付け基準部材の設置位置を、従来例のような遮断器コンパートメントの後部（遮断器コンパートメントと母線コンパートメント及びケーブルコンパートメントとの間）から遮断器コンパートメントの前部（制御コンパートメントと遮断器コンパートメントとの間）に変更すると共に、閉鎖箱を構成する複数の枠体の境界位置を遮断器コンパートメントと母線コンパートメント及びケーブルコンパートメントとの間にする。このようにすることにより、取付け基準部材を水平にして組立作業を行う場合に、従来例のようにクレードルを取付けた後に枠体を１８０°回転させる必要がない。
【００２０】
第２発明に係る閉鎖配電盤の閉鎖箱は、第１発明において、打ち出しによるリブを前記床面に設けてあることを特徴とする。
【００２１】
第２発明にあっては、第１発明に加えて、床面に打ち出しによるリブを設けている。よって、簡素な構成により、床部の強度を上げることができる。
【００２２】
第３発明に係る閉鎖配電盤の閉鎖箱は、第２発明において、収納機器及び内部構成部材を固定するための穴を前記リブに形成してあることを特徴とする。
【００２３】
第３発明にあっては、第２発明に加えて、リブに収納機器及び内部構成部材を固定するための穴を設けている。よって、床部を簡素な構成にしても、収納機器及び内部構成部材を固定するための固定部材の先端が閉鎖配電盤外にはみ出さない。
【００２４】
第４発明に係る閉鎖配電盤の閉鎖箱は、第１〜第３発明の何れかにおいて、床面に外線ケーブルを通すための開口部が設けられており、前記開口部の周囲に打ち出し加工を施してあることを特徴とする。
【００２５】
第４発明にあっては、第１〜第３発明の何れかに加えて、床面の開口部の周囲に打ち出し加工を施している。よって、床部を簡素な構成にしても、その開口部を塞ぐための塞ぎ部材を固定するための固定部材の先端が閉鎖配電盤外にはみ出さない。
【００２８】
【発明の実施の形態】
以下、本発明をその実施の形態を示す図面に基づいて具体的に説明する。
本発明の閉鎖配電盤の閉鎖箱の構造及びその閉鎖箱を用いた閉鎖配電盤の組立方法について、例えば引出形遮断器クレードルを上下２段に収納した閉鎖配電盤を用いて説明する。
【００２９】
図１は、本発明の閉鎖配電盤の側断面図であり、図２はその本発明の閉鎖配電盤の閉鎖箱の複数の枠体と床面とを示す斜視図である。なお、以下の説明においては、図５の図面における左右方向，上下方向及び垂直方向を夫々、閉鎖配電盤の奥行き方向，高さ方向及び幅方向とする。
【００３０】
図１において、閉鎖配電盤の閉鎖箱１１の外被は、正面扉１２，天板１３，裏面板１４及び床面２４ａ，２４ｂで構成される。この閉鎖箱１１の外被は、何れの部分も金属板で構成されており、閉鎖箱１１の内部と外部とを遮断している。
【００３１】
図１に示すＸ及びＹは、閉鎖配電盤の奥行き方向に２分割された２個の枠体７０及び８０の区分を夫々示している。これらの２個の枠体７０及び８０は、Ｌ字形，コ字形等の複数の構成部材を組み合わせて夫々構成され、ボルト，リベット等により床面２４ａ，２４ｂに対して垂直に夫々固定されている。また、正面扉１２，天板１３及び裏面板１４は、ボルト等により枠体７０及び８０に取付けられている。
【００３２】
更に、コの字形の取付け基準部材７１が、床面２４ａに対して垂直な方向となるように、枠体７０の４個のＬ字形のフレーム７０ａ，７０ｂ，７０ｃ及び７０ｄに固定されている。取付け基準部材７１には、複数の取付け穴（図示せず）が設けられていて閉鎖配電盤内の収納機器及び内部構成部材をボルト等により固定できるようになっており、この取付け基準部材７１は、これらの収納機器及び内部構成部材を閉鎖箱１１に取付ける際の取付け基準面として機能する。
【００３３】
次に、閉鎖箱１１の内部構成について説明する。閉鎖箱１１の内部は、仕切り板１８，１９及び３１により、後述する収納機器の回路別に、制御コンパートメント２０，上下２段の遮断器コンパートメント２１，母線コンパートメント２２及びケーブルコンパートメント２３に区画されている。なお、上下２段の遮断器コンパートメント２１は、上下段のクレードル２夫々単体で構成されている。取付け基準部材７１は、この制御コンパートメント２０と遮断器コンパートメント２１との境界に設けられている。
【００３４】
各クレードル２には、引出形遮断器１が奥行き方向に移動可能に収納されており、各クレードル２は固定フレーム１６により閉鎖箱１１（仕切り板３１）に固定されている。引出形遮断器１がクレードル２内の運転位置に配置された場合には、引出形遮断器１の可動接触子（図示せず）が、ブッシングにより絶縁支持されたクレードル２の主回路端子２ａに嵌合する。
【００３５】
また、主母線３が、閉鎖配電盤の幅方向に盤の空間を貫いて設けられている。一方の主回路端子２ａに連なるクレードル端子５と主母線３とは、電源側分岐導体４にて接続されている。他方の主回路端子２ａに連なるクレードル端子５には、計器用変流器８を貫通する負荷側導体６が接続されており、負荷側導体６の端部には外線ケーブル１０の接続端子９が接続されている。負荷側導体６は、支持用碍子７により絶縁支持されている。
【００３６】
次に、閉鎖箱１１の床面２４ａ，２４ｂについて図３を参照して説明する。図３（ａ）は床面２４ａ，２４ｂの平面図、図３（ｂ）は床面２４ａ，２４ｂの断面図である。床面２４ａ，２４ｂには、補強用の打出しリブ２８，２８が設けられている。各リブ２８夫々に、収納機器及び内部構成部材を固定するための２個ずつの穴２９，２９が形成されており、この各穴２９に固定ねじを嵌めて収納機器及び内部構成部材を固定する場合に、その固定ねじの先端が床面２４ａ，２４ｂの表面から外部に飛び出さないような構成にしている。
【００３７】
また、床面２４ｂには外線ケーブル１０を貫通させるための開口部２６が設けられている。外線ケーブル１０を設置した後に開口部２６に塞ぎ板２７を取り付けるためのねじの先端が床面２４ｂの表面から外部に飛び出さないように、開口部２６の周囲に打ち出し加工３０を施している。
【００３８】
次に、上記閉鎖箱１１を用いた本発明の閉鎖配電盤の組立方法について説明する。なお、上述したように、本発明の閉鎖箱１１では、収納機器及び内部構成部材が取り付けられる枠体が、２個の枠体７０及び８０に分割されているので、各枠体７０，８０への収納機器及び内部構成部材の取付け作業を並行して行える。
【００３９】
図４（ａ），（ｂ）は、取付け基準部材７１にクレードル２を取り付けた状態を示す構造図である。取付け基準部材７１を制御コンパートメント２０と遮断器コンパートメント２１との境界部に設け、図４（ａ），（ｂ）に示す如く、閉鎖配電盤の据え付け面と平行になるように、機器取付け基準部材７１を台車等に固定する。クレードル２の位置決め機能を有する、制御コンパートメント２０と遮断器コンパートメント２１との仕切り板３１を機器取付け基準部材７１に固定する。そして、クレードル２をクレーン等により吊り下げて仕切り板３１の上面に乗せ、固定フレーム１６と機器取付け用支柱７２とにボルト等によりクレードル２を固定する。
【００４０】
また、このクレードル２の固定作業と並行して、主母線３，計器用変流器８等の収納機器及び内部構成部材を枠体８０に取り付ける。
【００４１】
そして、収納機器及び内部構成部材を取り付けた枠体８０をクレーン等により吊り下げて、枠体７０の上部に乗せ、枠体７０と枠体８０とを連結する。
【００４２】
以上のように、本発明では、閉鎖配電盤の収納機器及び内部構成部材が取り付けられる枠体を閉鎖配電盤の奥行き方向に２個の枠体７０，８０に分割しているので、閉鎖配電盤の収納機器及び内部構成部材を枠体に取り付ける作業を各枠体７０，８０毎に並行して行うことができ、また、遮断器コンパートメント２１の後部にて枠体を２つに分割すると共に、取付け基準部材７１を遮断器コンパートメント２１の前部に設けるようにしており、クレードル位置決め機能を有する仕切り板３１を取付け基準部材７１に固定した後でクレードル２の取付け作業を行うので、従来のような枠体を１８０°回転させる作業は不要となり、作業が容易である。この結果、組立作業の安全性が向上すると共に作業時間が短縮される。
【００４３】
なお、本発明の閉鎖配電盤の閉鎖箱において、枠体８０の奥行きが大きくなる場合には、この枠体８０を奥行き方向に更に複数の枠体に分割してもよい。
【００４４】
【発明の効果】
以上詳述したように、第１発明の閉鎖配電盤の閉鎖箱では、閉鎖配電盤の閉鎖箱の床面に対して垂直に設ける取付け基準部材の設置位置を、従来例のような遮断器コンパートメントの後部から遮断器コンパートメントの前部に変更し、閉鎖箱の枠体の分割位置を遮断器コンパートメントと母線コンパートメント及びケーブルコンパートメントとの境界領域とするようにしたので、取付け基準部材を水平にして組立作業を行う場合、従来例のようにクレードルを取付けた後に枠体を１８０°回転させる作業を不要とできる。
【００４６】
第２発明の閉鎖配電盤の閉鎖箱では、床面に打ち出しによるリブを設けるようにしたので、床部の強度を上げることができると共に、床部の構成を簡素化できてコロ引き作業を安全に行える。
【００４７】
第３発明の閉鎖配電盤の閉鎖箱では、床面のリブに収納機器及び内部構成部材を固定するための穴を設けるようにしたので、収納機器及び内部構成部材を固定するための固定部材の先端が閉鎖配電盤外にはみ出すことがなく、また、床部の構成を簡素化できてコロ引き作業を安全に行える。
【００４８】
第４発明の閉鎖配電盤の閉鎖箱では、床面の開口部の周囲に打ち出し加工を施すようにしたので、その開口部を塞ぐための塞ぎ板を固定するための固定部材の先端が閉鎖配電盤外にはみ出すことがなく、また、床部の構成を簡素化できてコロ引き作業を安全に行える。
【図面の簡単な説明】
【図１】  本発明の閉鎖配電盤の閉鎖箱に引出形遮断器用クレードルを上下２段に収納した閉鎖配電盤の側断面図である。
【図２】  本発明の閉鎖配電盤の閉鎖箱の複数の枠体と床面とを示す斜視図である。
【図３】  本発明の閉鎖箱の床面の構造図である。
【図４】  本発明の閉鎖箱の取付け基準部材にクレードルを取り付けた状態を示す構造図である。
【図５】  従来の閉鎖配電盤の閉鎖箱に引出形遮断器用クレードルを上下２段に収納した閉鎖配電盤の側断面図である。
【図６】  従来の閉鎖配電盤の閉鎖箱の複数の枠体と床部とを示す斜視図である。
【図７】  従来の閉鎖箱の床部の構造図である。
【図８】  従来の閉鎖箱の取付け基準部材にクレードルを取り付けた状態を示す構造図である。
【符号の説明】
１  引出形遮断器、２  クレードル、３  主母線、１０  外線ケーブル、１１  閉鎖箱、１８  仕切り板、１９  仕切り板、、２０  制御コンパートメント、２１  遮断器コンパートメント、２２  母線コンパートメント、２３  ケーブルコンパートメント、２４ａ，２４ｂ  床面、２６  開口部、２７  塞ぎ板、２８  リブ、２９  穴、３０  打ち出し加工、３１  仕切り板、７０  枠体、７１  取付け基準部材、８０  枠体。
【図１】
0004155666.tif 000002
【図２】
0004155666.tif 000003
【図３】
0004155666.tif 000004
【図４】
0004155666.tif 000005
【図５】
0004155666.tif 000006
【図６】
0004155666.tif 000007
【図７】
0004155666.tif 000008
【図８】
0004155666.tif 000009